(57)【要約】【課題】コンタクト端子に接続されたリード線を異なる２方向へ選択して導出できる第１コネクタ、及び第１コネクタが嵌合結合され、取付け部材の任意の箇所へ取付けることができる第２コネクタを提供する。【解決手段】第１コネクタ９は、雌型コンタクト端子１０と、雌型コンタクト端子が装着される第１の収容穴１４１〜１４６を有する第１接続部１４と、第１接続部の端部から所定の角度で折曲されて雌型コンタクト端子が装着される第２の収容穴１６１〜１６６を有する第２接続部１６と、を有し、第１、第２の収容穴の端部をそれぞれ連通させた第１コネクタハウジング１３と、を備え、第１、第２の収容穴の少なくともいずれか一方の収容穴に雌型コンタクト端子を装着し、雌型コンタクト端子の第１、第２接触部のいずれか一方の接触部に第２コネクタの第２コンタクト端子の接触部が電気接続される。【選択図】図１
2009164105.tif 000002
【特許請求の範囲】
【請求項１】
第２コネクタの第２コンタクト端子と２方向から接触接続される第１、第２接触部を一端に有し、他端にリード線接続部を有する良導電性金属材からなる第１コンタクト端子と、
前記第１コンタクト端子が装着される第１の収容穴を１乃至複数有する第１接続部と、前記第１接続部の端部から所定の角度で折曲されて前記第１コンタクト端子が装着される第２の収容穴を１乃至複数有する第２接続部と、を有し、前記第１、第２の収容穴の端部をそれぞれ連通させると共に該連通箇所に前記第２コンタクト端子の接触部が差込まれる差込口を設けた電気絶縁性の樹脂成型体からなる第１コネクタハウジングと、を備え、
前記第１コネクタハウジングは、前記第１、第２の収容穴の少なくともいずれか一方の収容穴に前記第１コンタクト端子を装着し、これらの収容穴に装着された第１コンタクト端子は、該第１コンタクト端子の前記第１、第２接触部のいずれか一方の接触部に前記第２コネクタの第２コンタクト端子の接触部が電気接続されることを特徴とする第１コネクタ。
【請求項２】
前記第１コネクタハウジングは側面視でＬ字型に形成されており、該Ｌ字型の一方の辺に前記第１接続部を、他方の辺に前記第２接続部をそれぞれ設け、該Ｌ字型の角部に前記差込口を設けたことを特徴とする請求項１に記載の第１コネクタ。
【請求項３】
前記第１、第２の収容穴は、前記第１、第２接続部を複数個の収容室に区分することにより設けられていることを特徴とする請求項１に記載の第１コネクタ。
【請求項４】
前記収容室は、所定の内径及び長さを有し、該収容室の内壁に前記第１コンタクト端子を係止する係止部及び該第１コンタクト端子を前記第１コネクタハウジングから取外すリリース穴を設けたことを特徴とする請求項３に記載の第１コネクタ。
【請求項５】
前記第１コネクタハウジングは、前記第１、第２接続部を設けた側のいずれか一方の外壁面に前記第２コネクタの係止部を着脱自在に係止する係止手段を有することを特徴とする請求項１に記載の第１コネクタ。
【請求項６】
前記第１コンタクト端子の第１、第２接触部は、所定の長さ及び幅長を有する２枚の第１、第２接触舌片の端部を接触乃至狭い隙間をあけて対向配設した第１接触部で形成し、該第１接触部は長手方向の先端部に前記第１接触部を、該長手方向と直交する方向に前記第２接触部をそれぞれ形成したことを特徴とする請求項１に記載の第１コネクタ。
【請求項７】
請求項１〜６のいずれかに記載の第１コネクタに嵌合接続される第２コネクタであって、
前記第１コンタクト端子の第１、第２接触部に接続される第１、第２接点部を有し良導電性の金属材からなる第２コンタクト端子と、
前記第２コンタクト端子が複数本装着される基台を有し取付け部材に載置・固定される電気絶縁性の樹脂成型体からなる第２コネクタハウジングと、を備え、
前記第２コネクタハウジングは、前記基台に装着穴が形成されており、該装着穴に前記第２コンタクト端子を前記基台面と直角方向に装着したことを特徴とする第２コネクタ。
【請求項８】
前記第２コネクタハウジングは、前記第１コネクタの係止手段に係止される係止部を有することを特徴とする請求項７に記載の第２コネクタ。
【請求項９】
請求項１〜６のいずれかに記載の第１コネクタと請求項７又は８に記載の第２コネクタとから構成されることを特徴とする電気接続装置。
【発明の詳細な説明】
【技術分野】
【０００１】
本発明は、第１コネクタ、第２コネクタ及びこれらのコネクタからなる電気接続装置に係り、詳しくは、第２コネクタを回路配線基板などの取付け部材に固定して、この第２コネクタに第１コネクタを接続することにより、この第１コネクタから導出されるリード線を所定方向へ配設できるようにした第１コネクタ、第２コネクタ及び電気接続装置に関するものである。
【背景技術】
【０００２】
回路配線基板は、その表面に各種の電子部品、例えば抵抗素子、コンデンサ及び半導体回路素子などが装着され、これらの電子部品が配線パターンにより電気的に接続されて、この配線パターンの一端に基板用のコネクタが接続された構成を有している。そして、この基板用コネクタには、外部コネクタが接続されて、この外部コネクタから回路配線基板上の電子部品へ電力及び信号などが供給され、或いは電子部品からの信号などがこの外部コネクタを介して外部へ送出されるようになっている。
このような基板用コネクタ及び外部コネクタは、これまで様々なタイプのものが開発されている。その代表的な基板用コネクタの１つは、例えば、下記特許文献１に開示されている。
【０００３】
以下、図１１を参照して、下記特許文献１に開示された電気コネクタを説明する。なお、図１１はこの公報に記載された電気コネクタを示し、図１１Ａは電気コネクタの全体斜視図、図１１Ｂは図１１Ａの縦断面図、図１１Ｃは他の電気コネクタの縦断面図である。
【０００４】
電気コネクタ３０は、複数本のコンタクト端子３４、３５と、これらのコンタクト端子が収容される挿入孔を有するコネクタハウジング３１と、を備え、これらの部品で組立てたコネクタ組立体が回路配線基板Ｐに固定されるようになっている。コネクタハウジング３１は、比較的長い横幅、高さ及び奥行きを有する電気絶縁性の長方体ブロックからなり、このブロックに複数個の挿入孔３２、３３が幅方向に沿って上下２段に配設されている。それぞれの挿入孔３２、３３は、ブロックの前面から背面に向けて貫通し、貫通孔の前面に他のコンタクト端子が差込まれる嵌合口３２ａ、３３ａが形成されている。上下２段の挿入孔３２、３３には、長さの異なるコンタクト端子３４、３５が収容される。各コンタクト端子３４、３５は、一端に他のコネクタのコンタクト端子が接続される接触部と、他端に基板上の接点３６に電気的に接続される接続部３４２、３５２と、これらの接触部と接続部とを連結する連結部３４１、３５１とを有し、全体形状が略Ｌ字型をなし、良導電性の金属板材で形成されている。上段の挿入孔３３に収容されるコンタクト端子３５は、連結部３５１の長さが長く形成され、下段の挿入孔３２に収容されるコンタクト端子３４は連結部３４１の長さが短く形成されている。
【０００５】
この電気コネクタ３０の組立ては、コネクタハウジング３１の上段の挿入孔３３に連結部を長くしたコンタクト端子３５、下段の挿入孔３２に連結部を短くしたコンタクト端子３４を挿入・固定することにより組立てが終了する。組立てたコネクタ３０は、コネクタハウジング３１が回路配線基板Ｐの表面に載置され、各コンタクト端子３４、３５の接続部が基板上の接点に半田等で接続されて、コネクタハウジングが不図示の固定手段で固定される。
【０００６】
この電気コネクタによれば、コネクタハウジング３１に収容されたコンタクト端子３４、３５が回路配線基板と略水平となっているので、外部コネクタを略水平方向から各嵌合穴へ差込むことができる。外部コネクタのコンタクト端子には、それぞれリード線が接続されて外部コネクタのハウジングから導出されているが、これらのリード線も略水平方向に配設される。
【０００７】
ところが、回路配線基板設計の際に、リード線を基板に対して水平方向へ導出するスペースなどが確保できず、基板の上方へ導出しなければならない場合がある。図１１Ｃの電気コネクタ３０Ａは、外部コネクタを基板の上方から接続できるようにしたものである。この電気コネクタ３０Ａは、上記電気コネクタ３０と同じようにコネクタハウジング３１Ａとコンタクト端子３４Ａ、３５Ａを有している。
【０００８】
また、他の代表的な電気コネクタは、例えば、米国で発行された下記特許文献２に記載されている。この電気コネクタは、接続部の角度を９０度変更できるようにしたものである。
【０００９】
【特許文献１】特開平１１−８６９８７号公報
【特許文献２】米国特許２００４／０２６６２５４号公開公報
【発明の開示】
【発明が解決しようとする課題】
【００１０】
回路配線基板とこの回路配線基板に搭載する電気コネクタとの関係で、回路配線基板への搭載箇所によって、電気コネクタに接続されたリード線を異なる方向へ導出しなければならないことが回路配線基板の設計の都合上発生することがある。このような場合、上記特許文献１に記載された電気コネクタを使用すると、コンタクト端子の形状が異なる２種類の電気コネクタ３０、３０Ａが必要となる。このような種類の異なる電気コネクタを使用すると、コスト高を招来し、しかもこれらのコネクタの保管・管理が面倒になり、これらのコネクタを回路配線基板の搭載箇所によって選定しなければならないので、その選定及び取付け作業が面倒になる。また、この電気コネクタを一旦回路配線基板に取付けてしまうとリード線の導出方向を変更することができない。すなわち、リード線の導出方向は、それぞれのコネクタによって方向が固定されてしまいその変更ができない。
【００１１】
上記特許文献２に記載された電気コネクタは、接続部の角度を９０度変更できるが、回路配線基板への取付け箇所が制限されてしまうので、上記電気コネクタと同様の課題が潜在している。
【００１２】
本発明は、このような従来技術が抱える課題を解決するためになされたもので、本発明の目的は、コンタクト端子に接続されたリード線を異なる２方向へ選択して導出できる第１コネクタを提供することにある。
【００１３】
本発明の他の目的は、一度選択されたリード線の導出方向を他の方向へ簡単に変更できる第１コネクタを提供することにある。
【００１４】
本発明のまた他の目的は、上記第１コネクタが嵌合結合され、取付け部材の任意の箇所へ取付けることができる第２コネクタを提供することある。
【００１５】
本発明の更に他の目的は、上記第１コネクタと上記第２コネクタとを着脱自在に結合して、第１コネクタのコンタクト端子に接続されたリード線を異なる２方向へ選択して導出できる電気接続装置を提供することにある。
【課題を解決するための手段】
【００１６】
上記目的を達成するために、本願の第１コネクタに係る発明は、第２コネクタの第２コンタクト端子と２方向から接触接続される第１、第２接触部を一端に有し、他端にリード線接続部を有する良導電性金属材からなる第１コンタクト端子と、
前記第１コンタクト端子が装着される第１の収容穴を１乃至複数有する第１接続部と、前記第１接続部の端部から所定の角度で折曲されて前記第１コンタクト端子が装着される第２の収容穴を１乃至複数有する第２接続部と、を有し、前記第１、第２の収容穴の端部をそれぞれ連通させると共に該連通箇所に前記第２コンタクト端子の接触部が差込まれる差込口を設けた電気絶縁性の樹脂成型体からなる第１コネクタハウジングと、を備え、
前記第１コネクタハウジングは、前記第１、第２の収容穴の少なくともいずれか一方の収容穴に前記第１コンタクト端子を装着し、これらの収容穴に装着された第１コンタクト端子は、該第１コンタクト端子の前記第１、第２接触部のいずれか一方の接触部に前記第２コネクタの第２コンタクト端子の接触部が電気接続されることを特徴とする。
【００１７】
上記第１コネクタに係る発明によれば、第１、第２接続部に設けた第１、第２の収容穴の少なくともいずれか一方に装着される第１コンタクト端子は、第１、第２の収容穴のいずれの収容穴に装着しても第２コネクタの第２コンタクト端子に接続される。したがって、第１コンタクト端子にリード線を接続して、第１、第２の収容穴に装着すると、異なる方向に設けられた第１、第２接続部のそれぞれからリード線を導出できるので、リード線の導出方向を簡単に選択することが可能になる。
【００１８】
また、上記第１コネクタに係る発明においては、前記第１コネクタハウジングは側面視でＬ字型に形成されており、該Ｌ字型の一方の辺に前記第１接続部を、他方の辺に前記第２接続部をそれぞれ設け、該Ｌ字型の角部に前記差込口を設けると好ましい。
【００１９】
上記第１コネクタに係る発明の好ましい態様によれば、第１、第２接続部の第１、第２の収容穴にリード線を接続した第１コンタクト端子をそれぞれ装着すると、この第１コンタクト端子に接続したリード線の導出方向が互いに直角となる方向へ導出させることが可能になる。
【００２０】
また、上記第１コネクタに係る発明においては、前記第１、第２の収容穴は、前記第１、第２接続部を複数個の収容室に区分することにより設けられていると好ましい。
【００２１】
上記第１コネクタに係る発明の好ましい態様によれば、第１、第２の収容穴を第１、第２接続部を複数個の収容室に区分することにより設けたので、これらの収容穴に装着される第１コンタクト端子同士を電気的に絶縁することができる。
【００２２】
また、上記第１コネクタに係る発明においては、前記収容室は、所定の内径及び長さを有し、該収容室の内壁に前記第１コンタクト端子を係止する係止部及び該第１コンタクト端子を前記第１コネクタハウジングから取外すリリース穴を設けると好ましい。
【００２３】
上記第１コネクタに係る発明の好ましい態様によれば、第１、第２の収容穴を所定の内径及び長さを有する収容室で形成し、この収容室の内壁に第１コンタクト端子を係止する係止部及びこの第２コンタクト端子を第１コネクタハウジングから取外すリリース穴を設けたので、第１コンタクト端子の係止及び取外しが簡単にできる。したがって、第１コンタクト端子にリード線を接続して第１コネクタハウジングに装着しても、簡単に取外して接続位置の変更及びリード線の導出方向の変更を行うことが可能になる。
【００２４】
また、上記第１コネクタに係る発明においては、前記第１コネクタハウジングは、前記第１、第２接続部を設けた側のいずれか一方の外壁面に前記第２コネクタの係止部を着脱自在に係止する係止手段を有すると好ましい。
【００２５】
上記第１コネクタに係る発明の好ましい態様によれば、第１コネクタハウジングは、第１、第２接続部を設けたいずれか一方の壁面に第１コネクタの係止部を着脱自在に係止する係止手段を設けたので、第２コネクタとの着脱が簡単な構成で可能になる。
【００２６】
また、上記第１コネクタに係る発明においては、前記第１コンタクト端子の第１、第２接触部は、所定の長さ及び幅長を有する２枚の第１、第２接触舌片の端部を接触乃至狭い隙間をあけて対向配設した第１接触部で形成し、該第１接触部は長手方向の先端部に前記第１接触部を、該長手方向と直交する方向に前記第２接触部をそれぞれ形成すると好ましい。
【００２７】
上記第１コネクタに係る発明の好ましい態様によれば、第１コンタクト端子は、第２コネクタの第２コンタクト端子に２方向から接触接続することが可能になる。
【００２８】
本願の第２コネクタに係る発明は、上述の第１コネクタに嵌合接続される第２コネクタであって、
前記第１コンタクト端子の第１、第２接触部に接続される第１、第２接点部を有し良導電性の金属材からなる第２コンタクト端子と、
前記第２コンタクト端子が複数本装着される基台を有し取付け部材に載置・固定される電気絶縁性の樹脂成型体からなる第２コネクタハウジングと、を備え、
前記第２コネクタハウジングは、前記基台に装着穴が形成されており、該装着穴に前記第２コンタクト端子を前記基台面と直角方向に装着したことを特徴とする。
【００２９】
上記第２コネクタに係る発明によれば、第２コネクタを取付け部材のいかなる箇所へ取付けても、この第２コネクタに第１コネクタを接続することにより、この第１コネクタからのリード線を異なる方向へ導出させることができる。
【００３０】
また、上記第２コネクタに係る発明においては、前記第２コネクタハウジングは、前記第１コネクタの係止手段に係止される係止部を有すると好ましい。
【００３１】
上記第２コネクタに係る発明の好ましい態様によれば、第１コネクタに設けられた係止手段に係止される係止部を形成したので、第１コネクタとの接続及び分離が容易に行えるようになる。
【００３２】
本願の電気接続装置に係る発明は、上述の第１コネクタと上述の第２コネクタとから構成されることを特徴とする。
【００３３】
上記電気接続装置に係る発明によれば、異なる方向へリード線を導出できる電気接続装置を提供できる。
【発明を実施するための最良の形態】
【００３４】
以下、図面を参照して本発明の最良の実施形態を説明する。但し、以下に示す実施形態は、本発明の技術思想を具体化するための第１コネクタ、第２コネクタ及び電気接続装置を例示するものであって、本発明をこの第１コネクタ、第２コネクタ及び電気接続装置に特定することを意図するものではなく、特許請求の範囲に含まれるその他の実施形態のものも等しく適応し得るものである。
【実施例１】
【００３５】
図１は本発明の実施形態に係る電気接続装置の斜視図である。図２は図１の電気接続装置を構成する雄型コネクタを示し、図２Ａは斜視図、図２Ｂは正面図。図２Ｃは図２ＢのIIC−IIC線の断面図である。図３は雄型コネクタハウジングを示し、図３Ａは斜視図、図３Ｂは背面図である。図４は図２の雄型コネクタを構成する雄型コンタクト端子及び補強タブを示し、図４Ａは雄型コンタクト端子の斜視図、図４Ｂは補強タブの斜視図である。図５は図１の電気接続装置を構成する雌型コネクタを示し、図５Ａは斜視図、図５Ｂは正面図である。図６Ａは図５ＢのVIA―VIA線の断面図、図６Ｂは図５ＢのVIB―VIB線の断面図である。図７は図５の雌型コネクタを構成する雌型コンタクト端子を示し、図７Ａは斜視図、図７Ｂは正面図である。図８は雌型コネクタと雄型コネクタとを接続した状態を示し、図８Ａは斜視図、図８Ｂは正面図である。図９Ａは図８ＢのIXA―IXA線の断面図、図９Ｂは図８ＢのIXＢ―IXＢ線の断面図である。図１０はリード線の導出例を示した電気接続装置の斜視図である。
【００３６】
初めに、本実施例の電気接続装置の構成の概要について説明する。
本実施例に係る電気接続装置１は、図１及び図８に示すように、回路配線基板などに取付けられる第２コネクタとしての雄型コネクタ２と、この雄型コネクタ２に着脱自在に結合される第１コネクタとしての雌型コネクタ９とを有している。このうち、雌型コネクタ９は、側面視で略Ｌ字型の第１コネクタハウジングとしての雌型コネクタハウジング（以下、雌型ハウジングという）１３を有し、この雌型ハウジング１３に第１、第２接続部１４、１６を設け、これらの第１、第２接続部１４、１６のそれぞれに設けた第１、第２の収容穴１４１〜１４６、１６１〜１６６のいずれかにリード線Ｌ１〜Ｌ６が装着された複数本の第１コンタクト端子としての雌型コンタクト端子１０をそれぞれ装着する。このような構成とすることにより、これらの雌型コンタクト端子１０に接続されたリード線Ｌ１〜Ｌ６が水平方向及び／又は垂直方向へ選択的に導出される。このリード線Ｌ１〜Ｌ６の導出方向については、詳しくは、例えば図１に示すように、６本のリード線Ｌ１〜Ｌ６のうち、４本のリード線Ｌ１、Ｌ２、Ｌ４及びＬ６は垂直方向へ、残り２本のリード線Ｌ３、Ｌ５は水平方向へ導出される。これらのリード線Ｌ１〜Ｌ６は、第１接続部１４の収容穴１４１〜１４６の何れかに差込まれた雌型コンタクト端子１０に装着されたリード線が水平方向へ、第２接続部１６の収容穴１６１〜１６６の何れかに差込まれた雌型コンタクト端子１０からのリード線が垂直方向へ導出される。
【００３７】
この電気接続装置１によると、雄型コネクタ２を回路配線基板の端縁部或いは中央部のいずれの箇所に取付けても、この雄型コネクタ２に雌型コネクタ９を結合することにより、雌型コネクタ９から導出されるリード線を回路配線基板に沿った面に対する水平方向及び／又は垂直方向に導出できるので、回路配線基板への取付け箇所の自由度が向上する、その結果、回路配線基板の設計が容易になる。
【００３８】
次に、図２〜図７を参照して、上述の電気接続装置１を構成する雄型コネクタ２及び雌型コネクタ９の構成を順に説明する。
【００３９】
先ず、図２〜図４を参照して、雄型コネクタ２の構成を説明する。
この雄型コネクタ２は、複数枚、例えば６枚の第２コンタクト端子としての雄型コンタクト端子３と、これらの雄型コンタクト端子３が装着される第１コネクタハウジングとしての雄型コネクタハウジング（以下、雄型ハウジングという）４とを備え、これらの部品を用いて組立てたコネクタ組立体は回路配線基板（図示省略）に固定される。
【００４０】
雄型ハウジング４は、比較的長い横幅、所定の高さ及び奥行きを有する基台部５と、この基台部５の両側端から垂直に立設させた側壁部６ａ、６ｂと、これら一対の側壁部６ａ、６ｂの間を連結するように幅方向に延在し基台部５から垂直方向へ立設させた奥壁部７と、奥壁部７の前方を開放させた開放部５０とを有し、電気絶縁性の合成樹脂材からなる成型体で形成されている。このうち、基台部５は、回路配線基板の表面に載置される平坦面を有する矩形状の底部５ａと、この底部５ａの上方に位置し所定の厚みを有する基台５ｂと、から構成されている。この基台５ｂには、図３Ａ及び図３Ｂに示すように、６枚の雄型コンタクト端子３が装着される６個の装着穴５１〜５６が形成されている。これらの装着穴５１〜５６は、基台５ｂを上下に貫通する細溝から構成されている。すなわち、この細溝からなる装着穴５１〜５６は、基台５ｂに略等間隔に配列されて、各装着穴５１〜５６の一端が奥壁部７へ達し、基台５ｂ及び奥壁部７を貫通し、奥壁部７を貫通した部分が奥壁部７の下方、底部５ａと連結される箇所まで達し（図３Ｂ参照）、この部分から雄型コンタクト端子３の端子部３ｂが導出されている（図２Ｃ参照）。
【００４１】
また、一対の側壁部６ａ、６ｂは、図２及び図３に示すように、所定の肉厚を有する板状体からなり、これらの板状体には補強タブ８が装着される取付け穴６１、６１が形成されている。各側壁部６ａ、６ｂの対向する面には、ガイド溝６２、６２が形成されている。また、奥壁部７は、図３Ｂに示すように、所定の肉厚を有する板状体からなり、その背面の略中央部には雄型ハウジング２の長手方向と直交する方向に２本の凸状突起７ａ、７ａが形成されている。これらの凸状突起７ａ、７ａには雌型コネクタ９の係止手段に係止される係止段部７１、７１が設けられている。
【００４２】
雄型コンタクト端子３は、図４Ａに示すように、所定の幅長及び長さを有するブレード状の接触部３ａと、この接触部３ａの底辺から略直角に折曲した端子部３ｂとを有し、全体が側面視で略Ｌ字型をなした良導電性を有する所定肉厚の金属板材で形成されている。接触部３ａは、２つの第１、第２接点部３１、３２を有し、第１接点部３１はＬ字型の雄型コンタクト端子３の頂部に、第２接点部３２は一方の側端に形成されている。また、この接触部３ａには、一端縁に係止突起３４、他端に係止肩部３５が形成されている。端子部３ｂは、不図示の回路配線基板に設けた接点に半田接続される。
【００４３】
補強タブ８は、雄型コネクタ２を不図示の回路配線基板に載置・固定する際に、この回路配線基板に半田接続されて雄型ハウジング４の取付けを強固にするための補強部材である。この補強タブ８は、図４Ｂに示すように、上下に対向した一対の指状片８ａ、８ｂと、これらの指状片８ａ、８ｂの一端を繋ぐ連結片８ｃと、指状片８ａ、８ｂの他端を開放させて形成される開口８１と、を有し、全体が略横Ｕ字型をなした金属板材で形成されている。この補強タブ８の肉厚は、両側壁部６ａ、６ｂの取付け穴６１、６１に圧入される程度の厚さとなっている。各指状片８ａ、８ｂは、所定の幅長を有し、一方の指状片８ａの側壁面には取付け溝６１内で位置決め固定される係止部８２が設けられている。
【００４４】
次に、図２〜図４を参照して、雄型コネクタ２の組立てを説明する。
先ず、図３Ａに示す雄型ハウジング４の各装着穴５１〜５６のそれぞれに雄型コンタクト端子３を装着する。この雄型コンタクト端子３の装着は、雄型コンタクト端子３の頂部を雄型ハウジング４の底部５ａから各装着穴５１〜５６の細溝内に圧入して、雄型コンタクト端子３の係止部３１及び肩部３２を溝内の係止部（図２Ｃ参照）に係止して位置決め固定する。この装着により、雄型コンタクト端子３は、図２Ａ及び図２Ｃに示すように、接触部３ａが基台５ｂ上に突出した状態で各装着穴５１〜５６内に固定される。また、雄型ハウジング４の側壁部６ａ、６ｂの各取付け穴６１、６１には、それぞれ補強タブ８、８が圧入・固定される。以上の工程により雄型コネクタ２の組立てが終了する。
【００４５】
組立てた雄型コネクタ２は、不図示の回路配線基板に載置して、各雄型コンタクト端子３の端子部３ｂを回路配線基板の接点に半田接続すると共に、各補強タブ８、８を回路配線基板に半田接続して固定する。
【００４６】
次に、図５〜図７を参照して、雌型コネクタ９の構成を説明する。
雌型コネクタ９は、雄型コネクタ２の雄型コンタクト端子３と同数の６本の雌型コンタクト端子１０と、これらの雌型コンタクト端子１０が装着される側面視で略Ｌ字型の電気絶縁性の合成樹脂成型体からなる雌型ハウジング１３とを備え、これらの部品を用いて組立てたコネクタ組立体が雄型コネクタ２に着脱自在に固定される。
【００４７】
雌型ハウジング１３は、図５に示すように、６本の雌型コンタクト端子１０を収容できる６個の第１の収容穴１４１〜１４６を有する第１接続部１４と、この第１接続部１４の端部から略直角に折曲し第１接続部１４と同数（６本）の雌型コンタクト端子１０が収容できる第２の収容穴１６１〜１６６を有する第２接続部１６と、第１、第２接続部１４、１６を繋ぐ連結部１５と、を備えている。第１、第２の収容穴１４１〜１４６、１６１〜１６６は、雌型ハウジング１３内でそれぞれ連通されていると共に、それぞれの第１、第２の収容穴１４１〜１４６、１６１〜１６６が合流する連結部１５には雄型コネクタ２の雄型コンタクト端子３が差込まれる６個の差込口１５１〜１５６（図６参照）が設けられている。また、雌型ハウジング１３は略Ｌ字型の合成樹脂成型体で構成されているので、第１、第２接続部１４、１６を繋ぐ連結部１５はＬ字型の角部となっている。
【００４８】
第１接続部１４は、図５に示すように、前壁面１４ａ、上下壁面１４ｃ、１４ｄ及び左右壁面１４ｅ、１４ｆを有する長方体ブロックからなり、第２接続部１６は、上壁面１６ａ、前後及び左右壁面１６ｃ〜１６ｆを有する直方体ブロックからなり、図６に示すように、第１接続部１４の後方部１４ｂと第２接続部１６の下方部１６ｂとが連結部１５で直角に合流されている。第１接続部１４の６個の第１の収容穴１４１〜１４６は、図６に示すように、前壁面１４ａから後方部１４ｂに向けて形成されて、これらの収容穴は連結部１５まで延びている。すなわち、第１の収容穴１４１〜１４６は、長方体ブロックからなる第１接続部１４を所定大きさの収容室に区画することで形成されている。第１の収容穴１４１〜１４６の内壁面に雌型コンタクト端子１０が位置決め固定される位置決め固定部が設けられている。この位置決め固定部は、雌型コンタクト端子１０の係止タブ１０１が係止される係止片１４Ｌなどで構成されている。また、第１の収容穴１４１〜１４６には、工具を挿入して操作することで雌型コンタクト端子１０をリリースする取外し穴１４０が形成されている。６個の第２の収容穴１６１〜１６６は、図６に示すように、上壁面１６ａから下方部１６ｂへ向けて形成されて、これらの収容穴は連結部１５まで延びている。この第２の収容穴１６１〜１６６は、第１接続部１４の第１の収容穴１４１〜１４６と同様に、長方体ブロックからなる第２接続部１６を所定大きさの収容室に区画することで形成されている。第１、第２の収容穴１４１〜１４６、１６１〜１６６は、互いに区画されているので、これらの収容穴にコンタクト端子が装着されたとき、隣接するコンタクト端子間で電気的な接触を起こすことがなくなる。
【００４９】
第１、第２接続部１４、１６を繋ぐ連結部１５には、雄型コネクタ２の雄型コンタクト端子３が差込まれる６個の差込口１５１〜１５６が形成されている。図６には、これらの差込口１５１〜１５６のうち、２個の差込口１５２、１５５が図示されている。また、連結部１５は、その側壁に雄型コネクタ２のガイド溝６２、６２に挿入されるガイド突起１５ａ、１５ａが形成されている。
【００５０】
第２接続部１６の後壁面１６ｄには、所定長さの連結部１９を介して雄型コネクタ２に係合及び離脱する係止手段１７が設けられている。この係止手段１７は、後壁面１６ｄと略同じ大きさの操作板１８を有し、この操作板１８は、下端部１８ｂが係止爪１８１、上端部が操作部１８ａとなっている。この操作板１８は短長の連結部１９で結合されているので、この連結部１９を支点にして揺動可能になっている。雄型コネクタ２との係合は、雌型コネクタ９を雄型コネクタ２に差込むと、操作板１８の底部１８ｂが雄型コネクタ２の凸状突起７ａの傾斜面に沿って降下し、底部が傾斜面の頂部を過ぎると、操作板１８の弾性復元力により、係止爪１８１が後壁面１６ｄ側へ移動して、この係止爪１８１が係止段部７１に係止される。この係止により、雌型コネクタ９が雄型コネクタ２に結合され、雌型コネクタ９を上方へ引っ張っても抜けることがない。一方、両コネクタの離脱の際は、操作部１８ａを指で摘んで後壁面１６ｄ側へ押し当てると、操作板１８は連結部１９を支点にして反対方向へ移動し、雄型コネクタ２の係止段部７１から係止爪１８１が外れるので、雌型コネクタ９を引き抜いて離脱させることが可能になる。
【００５１】
雌型コンタクト端子１０は、図７に示すように、一端に形成された接触部１１と、他端に形成されリード線が接続される接続部１２と、接触部１１と接続部１２とを連結する胴体部１０ｂと、を有し、良導電性の金属板材の折曲加工によって形成されている。接触部１１は、胴体部１０ｂから前方へ延出した弾性を有する所定長さの一対の弾性舌片１１ａ、１１ｂからなり、これらの弾性舌片１１ａ、１１ｂはそれぞれ所定の幅長を有して互いの平坦面が接触乃至僅かな隙間をあけて対向配設された構成を有している。
【００５２】
この接触部１１には、雄型コネクタ２の雄型コンタクト端子３が異なる２方向から差込まれる第１、第２差込部Ｓ１、Ｓ２が形成されている。第１差込部Ｓ１は接触部１１の長手方向の先端部に形成されて、雄型コンタクト端子３の第１接点部３１が差し込まれる。ｍた、第２差込部Ｓ２は接触部１１の長手方向と直交する方向に形成されて、雄型コンタクト端子３の第２接点部３２が差込まれる。第１、第２差込部Ｓ１、Ｓ２は、各弾性舌片１１ａ、１１ｂの端縁を互いに外側へ屈曲させて両弾性舌片の先端部の隙間が徐々に拡大するように形成すると好ましい。この隙間の拡大により、雄型コンタクト端子３への差込みが容易になる。胴体部１０ｂには、第１、第２の収容穴１４１〜１４６、１６１〜１６６の位置決め固定部に係止される肩部及び弾性を有する係止タブ１０１が形成されている。係止タブ１０１は弾性を有している。接続部１２はリード線Ｌ１〜Ｌ６の芯線が圧着接続される圧着部１２ｂと、リード線Ｌ１〜Ｌ６の被覆を固定する固定部１２ａとを有している。
【００５３】
この雌型コンタクト端子１０は、雌型ハウジング１３の第１、第２接続部１４、１６に設けた第１、第２の収容穴１４１〜１４６、１６１〜１６６のいずれかに挿入されて位置決め固定される。なお、図５は雌型コンタクト端子１０を第１接続部１４の第１の収容穴１４３、１４５に、第２接続部１６の第２の収容穴１６１、１６２、１６４及び１６６に挿入した状態を示している。第１、第２の収容穴１４１〜１４６、１６１〜１６６への雌型コンタクト端子１０の位置決め固定は、いずれも同じ方法で行われる。例えば、雌型コンタクト端子１０を第２の収容穴１６２に挿入すると、コンタクト端子１０の係止タブ１０１が係止片１６Ｌの端部に係止されて位置決め固定される（図６参照）。なお、収容穴１６２からの雌型コンタクト端子１０の取外しは、取外し穴１４０へ先の尖った工具を挿入して、係止タブ１０１を収容穴１６２内へ押動して、係止片１６Ｌの端部との係止を外し、雌型コンタクト端子１０を引き抜くことにより行われる。
【００５４】
図８、図９を参照して、雄型コネクタ２と雌型コネクタ９との結合を説明する。
雄型コネクタ２への雌型コネクタ９の結合は、先ず、雌型コンタクト端子１０を雌型コネクタ９の第１接続部１４の第１の収容穴１４３、１４５に、第２接続部１６の第２の収容穴１６１、１６２、１６４及び１６６にそれぞれ挿入して、これらのコンタクト端子１０を装着した雌型コネクタ９を雄型コネクタ２に接続する。この結合は、雌型コネクタ９のガイド突起１５ａ、１５ａを雄型コネクタ２のガイド溝６２、６２へ挿入して押し下げ、第１、第２接続部１４、１６に装着した６本の雌型コンタクト端子１０を雄型コネクタ２の６本の雄型コンタクト端子３に接続する（図２及び図５参照）。このとき、第１、第２接続部１４、１６に装着された雌型コンタクト端子１０の方向が異なっているが、雄型コンタクト端子３へは、雌型コンタクト端子１０の接触部１１の２つある第１、第２差込部Ｓ１、Ｓ２のいずれかに接続される。例えば、第２接続部１６の第２の収容穴１６２に装着された雌型コンタクト端子１０は、その第１差込部Ｓ１が雄型コンタクト端子３の第１接点部３１に接続される。また、第１接続部１４の第１の収容穴１４５に装着された雌型コンタクト端子１０は、その第２差込部Ｓ２が雄型コンタクト端子３の第２接点部３２に接続される。一方、雌型コネクタ９の雌型ハウジング１３は、係止手段１７により結合される。なお、この結合では、予め雌型コネクタ９に雌型コンタクト端子１０を装着した後に、雄型コネクタ２へ結合したが、雌型コネクタ９を雄型コネクタ２へ結合した後に、雌型コネクタ９に雌型コンタクト端子１０を装着してもよい。
【００５５】
この電気接続装置１によると、図１に示すように、雌型コネクタ９の第１、第２接続部１４、１６のいずれか一方の収容穴１４１〜１４６、１６１〜１６６にリード線Ｌ１〜Ｌ６が装着された雌型コンタクト端子１０を装着して、これらの雌型コンタクト端子１０に接続したリード線Ｌ１〜Ｌ６を水平方向及び／又は垂直方向へ選択して導出することができる。すなわち、これらのリード線Ｌ１〜Ｌ６のうち、第１接続部１４の第１の収容穴１４３、１４５に差込んだ雌型コンタクト端子１０に装着されたリード線Ｌ３、Ｌ５を水平方向へ、第２接続部１６の第２の収容穴１６１、１６２、１６４、１６６に差込んだ雌型コンタクト端子１０に装着されたリード線Ｌ１、Ｌ２、Ｌ４、Ｌ６を垂直方向へ導出できる。また、図１０Ａに示すように、第１接続部１４から３本及び第２接続部１６から３本、リード線を導出させることもできる。或いは図１０Ｂに示すように、第１接続部１４の左側の第１の収容穴１４１、１４２から２本、第２接続部１６の右側の第２の収容穴１６３、１６４、１６５、１６６から４本、リード線を導出させることもできる。勿論、第１、第２接続部１４、１６のいずれか一方の収容穴に６本のリード線Ｌ１〜Ｌ６付き雌型コンタクト端子１０を装着してもよい。
【００５６】
この電気接続装置１では、雄型コネクタ２を回路配線基板の端縁部或いは中央部のいずれの箇所に取付けても、この雄型コネクタ２に雌型コネクタ９を結合することにより、雌型コネクタ９から導出されるリード線を回路配線基板に沿った面に対する水平方向及び／又は垂直方向に導出できるので、回路配線基板への取付け箇所の自由度が向上する、その結果、回路配線基板の設計が容易になる。また、雌型コネクタ９にリード線Ｌ１〜Ｌ６付き雌型コンタクト端子１０を装着しても、この雌型コンタクト端子１０は雌型ハウジング１３から簡単に取外しができるので、雌型コンタクト端子１０の装着位置等の変更が簡単にできる。そして、この装着変更により、リード線の導出方向の変更を簡単に行うことが可能になる。
【００５７】
なお、本実施例においては、第１コネクタを「雌型コネクタ」として説明し、第２コネクタを「雄型コネクタ」として説明したが、これらは両コネクタの形状に合わせて便宜上定義したものに過ぎず、例えば第１コネクタを「雄型コネクタ」とし、第２コネクタを「雌型コネクタ」とすることも可能である。
【図面の簡単な説明】
【００５８】
【図１】図１は本発明の実施形態に係る電気接続装置の斜視図である。
【図２】図２は図１の電気接続装置を構成する雄型コネクタを示し、図２Ａは斜視図、図２Ｂは正面図。図２Ｃは図２ＢのIIC−IIC線の断面図である。
【図３】図３は雄型コネクタハウジングを示し、図３Ａは斜視図、図３Ｂは背面図である。
【図４】図４は図２の雄型コネクタを構成する雄型コンタクト端子及び補強タブを示し、図４Ａは雄型コンタクト端子の斜視図、図４Ｂは補強タブの斜視図である。
【図５】図５は図１の電気接続装置を構成する雌型コネクタを示し、図５Ａは斜視図、図５Ｂは正面図である。
【図６】図６Ａは図５ＢのVIA―VIA線の断面図、図６Ｂは図５ＢのVIB―VIB線の断面図である。
【図７】図７は図５の雌型コネクタを構成する雌型コンタクト端子を示し、図７Ａは斜視図、図７Ｂは正面図である。
【図８】図８は雌型コネクタと雄型コネクタとを接続した状態を示し、図８Ａは斜視図、図８Ｂは正面図である。
【図９】図９Ａは図８ＢのIXA―IXA線の断面図、図９Ｂは図８ＢのIXＢ―IXＢ線の断面図である。
【図１０】図１０はリード線の導出例を示した電気接続装置の斜視図である。
【図１１】図１１は従来技術の電気コネクタを示し、図１１Ａは電気コネクタの全体斜視図、図１１Ｂは、図１１Ａの縦断面図、図１１Ｃは他の電気コネクタの縦断面図である。
【符号の説明】
【００５９】
１          電気接続装置
２          雄型コネクタ（第２コネクタ）
３          雄型コンタクト端子（第２コンタクト端子）
３ａ        接触部
３１        第１接点部
３２        第２接点部
４          雄型コネクタハウジング（第２コネクタハウジング）
５          基台部
５ｂ        基台
５１〜５６  装着穴
７          奥壁部
８          補強タブ
９          雌型コネクタ（第１コネクタ）
１０        雌型コンタクト端子（第１コンタクト端子）
１１        接触部
１３        雌型コネクタハウジング（第１コネクタハウジング）
１４        第１接続部
１４１〜１４６  第１の収容穴
１５        連結部
１５１〜１５６  差込口
１６        第２接続部
１６１〜１６６  第２の収容穴
１７        係止手段
１８        操作板
１９        連結部
Ｌ１〜Ｌ６  リード線
Ｓ１        第１差込部（第１接触部）
Ｓ２        第２差込部（第２接触部）
【図１】
2009164105.tif 000003
【図２】
2009164105.tif 000004
【図３】
2009164105.tif 000005
【図４】
2009164105.tif 000006
【図５】
2009164105.tif 000007
【図６】
2009164105.tif 000008
【図７】
2009164105.tif 000009
【図８】
2009164105.tif 000010
【図９】
2009164105.tif 000011
【図１０】
2009164105.tif 000012
【図１１】
2009164105.tif 000013